(57)【特許請求の範囲】
【請求項１】
ピア発見リソースの第１のセット中で第１の周期性で第１のピア発見信号を送信することと、
ピア発見リソースの第２のセットの割り振られたピア発見リソース上のエネルギーを判断することと、
前記エネルギーがしきい値よりも大きいとき、ピア発見リソースの前記第２のセット中で第２のピア発見信号を送信することを控えることと、
前記エネルギーが前記しきい値よりも小さいとき、前記第１の周期性よりも小さい第２の周期性でピア発見リソースの前記第２のセット中で前記第２のピア発見信号を送信することと
を備え、
ピア発見リソースの前記第１のセットは、ピア発見リソースの前記第２のセットとは異なる、ワイヤレス通信の方法。
【請求項２】
ピア発見リソースの前記第２のセットがＮ個の周期ごとに１回利用され、前記Ｎ個の周期ごとに１回が前記第２の周期性である、請求項１に記載の方法。
【請求項３】
Ｎを乗算された、ピア発見リソースの前記第２のセット中のピア発見リソースの数が、ピア発見リソースの前記第１のセット中のピア発見リソースの数以上である、請求項２に記載の方法。
【請求項４】
前記しきい値が、前記第２のピア発見信号を正常に受信するために必要とされる信号対干渉雑音比（ＳＩＮＲ）に基づく、請求項１に記載の方法。
【請求項５】
前記必要とされるＳＩＮＲが増加するときに前記しきい値を増加させることと、
前記必要とされるＳＩＮＲが減少するときに前記しきい値を減少させることとをさらに備える、請求項４に記載の方法。
【請求項６】
前記第２のピア発見信号が送信される周期中に、ピア発見リソースの前記第１のセットのサブセット中で前記第１のピア発見信号を送信することを控えることをさらに備える、請求項１に記載の方法。
【請求項７】
ピア発見リソースの第１のセット中で第１の周期性で第１のピア発見信号を送信するための手段と、
ピア発見リソースの第２のセットの割り振られたピア発見リソース上のエネルギーを判断するための手段と、
前記エネルギーがしきい値よりも大きいとき、ピア発見リソースの前記第２のセット中で第２のピア発見信号を送信することを控えるための手段と、
前記エネルギーが前記しきい値よりも小さいとき、前記第１の周期性よりも小さい第２の周期性でピア発見リソースの前記第２のセット中で前記第２のピア発見信号を送信するための手段と
を備え、
ピア発見リソースの前記第１のセットは、ピア発見リソースの前記第２のセットとは異なる、ワイヤレス通信のための装置。
【請求項８】
ピア発見リソースの前記第２のセットがＮ個の周期ごとに１回利用され、前記Ｎ個の周期ごとに１回が前記第２の周期性である、請求項７に記載の装置。
【請求項９】
Ｎを乗算された、ピア発見リソースの前記第２のセット中のピア発見リソースの数が、ピア発見リソースの前記第１のセット中のピア発見リソースの数以上である、請求項８に記載の装置。
【請求項１０】
前記しきい値が、前記第２のピア発見信号を正常に受信するために必要とされる信号対干渉雑音比（ＳＩＮＲ）に基づく、請求項７に記載の装置。
【請求項１１】
前記必要とされるＳＩＮＲが増加するときに前記しきい値を増加させるための手段と、
前記必要とされるＳＩＮＲが減少するときに前記しきい値を減少させるための手段とをさらに備える、請求項１０に記載の装置。
【請求項１２】
前記第２のピア発見信号が送信される周期中に、ピア発見リソースの前記第１のセットのサブセット中で前記第１のピア発見信号を送信することを控えるための手段をさらに備える、請求項７に記載の装置。
【請求項１３】
ピア発見リソースの第１のセット中で第１の周期性で第１のピア発見信号を送信することと、
ピア発見リソースの第２のセットの割り振られたピア発見リソース上のエネルギーを判断することと、
前記エネルギーがしきい値よりも大きいとき、ピア発見リソースの前記第２のセット中で第２のピア発見信号を送信することを控えることと、
前記エネルギーが前記しきい値よりも小さいとき、前記第１の周期性よりも小さい第２の周期性でピア発見リソースの前記第２のセット中で前記第２のピア発見信号を送信することと
を行うように構成された処理システム
を備え、
ピア発見リソースの前記第１のセットは、ピア発見リソースの前記第２のセットとは異なる、ワイヤレス通信のための装置。
【請求項１４】
ピア発見リソースの前記第２のセットがＮ個の周期ごとに１回利用され、前記Ｎ個の周期ごとに１回が前記第２の周期性である、請求項１３に記載の装置。
【請求項１５】
Ｎを乗算された、ピア発見リソースの前記第２のセット中のピア発見リソースの数が、ピア発見リソースの前記第１のセット中のピア発見リソースの数以上である、請求項１４に記載の装置。
【請求項１６】
前記しきい値が、前記第２のピア発見信号を正常に受信するために必要とされる信号対干渉雑音比（ＳＩＮＲ）に基づく、請求項１３に記載の装置。
【請求項１７】
前記処理システムは、前記必要とされるＳＩＮＲが増加するときに前記しきい値を増加させることと、
前記必要とされるＳＩＮＲが減少するときに前記しきい値を減少させることとを行うようにさらに構成された、請求項１６に記載の装置。
【請求項１８】
前記処理システムは、前記第２のピア発見信号が送信される周期中に、ピア発見リソースの前記第１のセットのサブセット中で前記第１のピア発見信号を送信することを控えるようにさらに構成された、請求項１３に記載の装置。
【請求項１９】
ピア発見リソースの第１のセット中で第１の周期性で第１のピア発見信号を送信することと、
ピア発見リソースの第２のセットの割り振られたピア発見リソース上のエネルギーを判断することと、
前記エネルギーがしきい値よりも大きいとき、ピア発見リソースの前記第２のセット中で第２のピア発見信号を送信することを控えることと、
前記エネルギーが前記しきい値よりも小さいとき、前記第１の周期性よりも小さい第２の周期性でピア発見リソースの前記第２のセット中で前記第２のピア発見信号を送信することと
を行うためのコードを備え、
ピア発見リソースの前記第１のセットは、ピア発見リソースの前記第２のセットとは異なる、コンピュータプログラム。
【請求項２０】
ピア発見リソースの前記第２のセットがＮ個の周期ごとに１回利用され、前記Ｎ個の周期ごとに１回が前記第２の周期性である、請求項１９に記載のコンピュータプログラム。
【請求項２１】
Ｎを乗算された、ピア発見リソースの前記第２のセット中のピア発見リソースの数が、ピア発見リソースの前記第１のセット中のピア発見リソースの数以上である、請求項２０に記載のコンピュータプログラム。
【請求項２２】
前記しきい値が、前記第２のピア発見信号を正常に受信するために必要とされる信号対干渉雑音比（ＳＩＮＲ）に基づく、請求項１９に記載のコンピュータプログラム。
【請求項２３】
前記コンピュータプログラムは、
前記必要とされるＳＩＮＲが増加するときに前記しきい値を増加させることと、
前記必要とされるＳＩＮＲが減少するときに前記しきい値を減少させることとを行うためのコードをさらに備える、請求項２２に記載のコンピュータプログラム。
【請求項２４】
前記コンピュータプログラムは、前記第２のピア発見信号が送信される周期中に、ピア発見リソースの前記第１のセットのサブセット中で前記第１のピア発見信号を送信することを控えるためのコードをさらに備える、請求項１９に記載のコンピュータプログラム。
【発明の詳細な説明】
【技術分野】
【０００１】
関連出願の相互参照
[0001]本出願は、その全体が参照により本明細書に明確に組み込まれる、２０１１年７月７日に出願された「Methods and Apparatus for Providing Flexibility in Peer Discovery Range and Frequency of Updates」と題する米国仮出願第６１／５０５，４６６号の利益を主張する。
【０００２】
[0002]本開示は、一般に通信システムに関し、より詳細には、ピア発見距離（peer discovery range）と更新の頻度とにおけるフレキシビリティを与えることに関する。
【背景技術】
【０００３】
[0003]ピア発見（ブロードキャスト）メッセージの発見距離は、ピア発見メッセージの送信と同時に送信するワイヤレスデバイスによって利用されるピア発見リソースの分布と、ピア発見メッセージを復号するために必要とされる信号対干渉雑音比（ＳＩＮＲ）とによって判断され得る。必要とされるＳＩＮＲは、ピア発見メッセージのコーディングに基づく固定量であるので、発見距離は、ピア発見リソースの分布によって大きい影響を受け得る。発見距離を改善するようにピア発見リソースの分布を制御するための方法および装置が必要である。
【発明の概要】
【０００４】
[0004]本開示の一態様では、方法、コンピュータプログラム製品、および装置が提供される。本装置は、ピア発見リソースの第１のセット中で第１の周期性で第１のピア発見信号を送信する。本装置は、ピア発見リソースの第２のセットの割り振られたピア発見リソース上のエネルギーを判断する。本装置は、エネルギーがしきい値よりも大きいとき、ピア発見リソースの第２のセット中で第２のピア発見信号を送信することを控える。本装置は、エネルギーがしきい値よりも小さいとき、第１の周期性よりも小さい第２の周期性でピア発見リソースの第２のセット中で第２のピア発見信号を送信する。
【図面の簡単な説明】
【０００５】
【図１】[0005]処理システムを採用する装置のためのハードウェア実装形態の例を示す図。
【図２】[0006]ワイヤレスピアツーピア通信システムの図。
【図３】[0007]ワイヤレスデバイス間のピアツーピア通信のための例示的な時間構造を示す図。
【図４】[0008]スーパーフレームの動作タイムラインとピア発見／ブロードキャストチャネルの構造とを示す図。
【図５】[0009]ピア発見リソースの第１のセットとピア発見リソースの第２のセットとを利用するための例示的な方法を示すための図。
【図６】[0010]図４に示したピア発見リソースのコンテキスト内でピア発見リソースの第１のセットとピア発見リソースの第２のセットとを示すための図。
【図７】[0011]ワイヤレスデバイスによるピア発見リソースの第１のセットとピア発見リソースの第２のセットとの使用を示す図。
【図８】[0012]ワイヤレスデバイスによるピア発見リソースの第１のセットとピア発見リソースの第２のセットとの使用を示す別の図。
【図９】[0013]ワイヤレスデバイスが、ピア発見リソースの第２のセットの割り振られたピア発見リソース上で送信すべきかどうかを判断するためのしきい値を、どのように調整し得るかを示すための図。
【図１０】[0014]ワイヤレス通信の方法のフローチャート。
【図１１】[0015]例示的な装置の機能を示す概念ブロック図。
【発明を実施するための形態】
【０００６】
[0016]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００７】
[0017]次に、様々な装置および方法に関して通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【０００８】
[0018]例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体上に常駐し得る。コンピュータ可読媒体は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体は、処理システムの内部に常駐するか、処理システムの外部にあるか、または処理システムを含む複数のエンティティにわたって分散され得る。コンピュータ可読媒体はコンピュータプログラム製品において実施され得る。例として、コンピュータプログラム製品はパッケージング材料中にコンピュータ可読媒体を含み得る。
【０００９】
[0019]したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。当業者なら、特定の適用例および全体的なシステムに課せられた全体的な設計制約に応じて、本開示全体にわたって提示される記載の機能をどのようにしたら最も良く実装することができるかを認識されよう。
【００１０】
[0020]図１は、処理システム１１４を採用する装置１００のためのハードウェア実装形態の一例を示す概念図である。処理システム１１４は、バス１０２によって概略的に表されるバスアーキテクチャを用いて実装され得る。バス１０２は、処理システム１１４の特定の適用例および全体的な設計制約に応じて、任意の数の相互接続バスおよびブリッジを含み得る。バス１０２は、プロセッサ１０４によって概略的に表される１つまたは複数のプロセッサおよび／またはハードウェアモジュールと、コンピュータ可読媒体１０６によって概略的に表されるコンピュータ可読媒体とを含む様々な回路を互いにリンクする。バス１０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１０８は、バス１０２とトランシーバ１１０との間のインターフェースを与える。トランシーバ１１０は、伝送媒体上で様々な他の装置と通信するための手段を与える。
【００１１】
[0021]プロセッサ１０４は、バス１０２を管理することと、コンピュータ可読媒体１０６に記憶されたソフトウェアの実行を含む一般的な処理とを担当する。ソフトウェアは、プロセッサ１０４によって実行されたとき、処理システム１１４に、特定の装置のための以下で説明する様々な機能を実行させる。コンピュータ可読媒体１０６はまた、ソフトウェアを実行するときにプロセッサ１０４によって操作されるデータを記憶するために使用され得る。
【００１２】
[0022]図２は、例示的なピアツーピア通信システム２００の図である。ピアツーピア通信システム２００は複数のワイヤレスデバイス２０６、２０８、２１０、２１２を含む。ピアツーピア通信システム２００は、たとえば、ワイヤレスワイドエリアネットワーク（ＷＷＡＮ）などのセルラー通信システムと重なり得る。ワイヤレスデバイス２０６、２０８、２１０、２１２の一部はピアツーピア通信において互いに通信し、一部は基地局２０４と通信し、一部は両方を行い得る。たとえば、図２に示すように、ワイヤレスデバイス２０６、２０８はピアツーピア通信中であり、ワイヤレスデバイス２１０、２１２はピアツーピア通信中である。ワイヤレスデバイス２１２は基地局２０４とも通信している。
【００１３】
[0023]ワイヤレスデバイスは、代替的に、当業者によって、ユーザ機器、移動局、加入者局、モバイルユニット、加入者ユニット、ワイヤレスユニット、ワイヤレスノード、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。基地局は、代替的に、当業者によって、アクセスポイント、送受信基地局、無線基地局、無線トランシーバ、トランシーバ機能、基本サービスセット（ＢＳＳ）、拡張サービスセット（ＥＳＳ）、ノードＢ、発展型ノードＢ、または何らかの他の好適な用語で呼ばれることがある。
【００１４】
[0024]以下で説明する例示的な方法および装置は、たとえば、ＦｌａｓｈＬｉｎＱ、ＶＬｉｎＱ、ＷｉＭｅｄｉａ、Ｂｌｕｅｔｏｏｔｈ（登録商標）、ＺｉｇＢｅｅ、またはＩＥＥＥ８０２．１１規格に基づくＷｉ−Ｆｉ（登録商標）に基づくワイヤレスピアツーピア通信システムなど、様々なワイヤレスピアツーピア通信システムのいずれにも適用可能である。説明を簡略化するために、ＶＬｉｎＱのコンテキスト内で例示的な方法および装置は説明され得る。ただし、例示的な方法および装置は、より一般的に様々な他のワイヤレスピアツーピア通信システムに適用可能であることを当業者は理解されよう。
【００１５】
[0025]図３は、ワイヤレスデバイス１００間のピアツーピア通信のための例示的な時間構造を示す図３００である。ウルトラフレームは、６４０秒であり、１０個のメガフレームを含む。各メガフレームは、６４秒であり、６４個のグランドフレームを含む。各グランドフレームは、１秒であり、１０個のスーパーフレームを含む。各スーパーフレームは、１００ミリ秒であり、２つのビッグフレームを含む。各ビッグフレームは５０ｍｓである。ビッグフレームはフレームと呼ばれることもある。
【００１６】
[0026]図４は、スーパーフレームの動作タイムラインとピア発見／ブロードキャストチャネルの例示的な構造とを示す図３２０である。スーパーフレームは、帯域内タイミングチャネルと、ピア発見／ブロードキャストチャネルと、ピアページングチャネルと、データトラフィックチャネル（ＴＣＣＨ）とを含む。ピア発見／ブロードキャストチャネルは、ピア発見情報を通信するためのＪ個の（たとえば、７５個の）ブロックを含み得る。各ブロックはＩ個の（たとえば、１１２個の）サブブロックを含み得る。各サブブロックは、同じサブキャリアにおける複数の（たとえば、２２個の）直交周波数分割多重（ＯＦＤＭ）シンボルを含み得る。異なるブロックは、異なるピア発見リソース識別子（ＰＤＲＩＤ：peer discovery resource identifier）に対応し得る。たとえば、第１のＰＤＲＩＤはｊ＝１におけるブロックに対応し得、第２のＰＤＲＩＤはｊ＝２におけるブロックに対応し得、以下同様である。
【００１７】
[0027]電源投入時に、ワイヤレスデバイスは、ある時間期間の間ピア発見チャネルをリッスン（listen）し、ＰＤＲＩＤの各々の上の判断されたエネルギーに基づいてＰＤＲＩＤを選択する。たとえば、ワイヤレスデバイスは、ｊ＝３におけるブロック３２２に対応するＰＤＲＩＤを選択し得る。特定のＰＤＲＩＤは、ホッピングにより他のスーパーフレーム中の他のブロックにマッピングし得る。選択されたＰＤＲＩＤに関連するブロックでは、ワイヤレスデバイスは、それのピア発見信号を送信する。選択されたＰＤＲＩＤに関連しないブロックでは、ワイヤレスデバイスは、他のワイヤレスデバイスによって送信されたピア発見信号がないかリッスンする。
【００１８】
[0028]ワイヤレスデバイスがＰＤＲＩＤ衝突を検出した場合、ワイヤレスデバイスはまた、ＰＤＲＩＤを再選択し得る。すなわち、ワイヤレスデバイスは、それのＰＤＲＩＤに対応するピア発見リソース上のエネルギーを検出するために、それの利用可能なピア発見リソース上で送信するのではなく、リッスンし得る。ワイヤレスデバイスはまた、他のＰＤＲＩＤに対応する他のピア発見リソース上のエネルギーを検出し得る。ワイヤレスデバイスは、それのＰＤＲＩＤに対応するピア発見リソース上の判断されたエネルギーと、他のＰＤＲＩＤに対応する他のピア発見リソース上の検出されたエネルギーとに基づいてＰＤＲＩＤを再選択し得る。
【００１９】
[0029]ピア発見メッセージの周期的送信は、多くのシステムにおいて必要とされる。チャネルアクセスは、分散協調機能（ＤＣＦ）アルゴリズムに基づき得、ＤＣＦアルゴリズムでは、ピア発見信号を送ることを望む各ワイヤレスデバイスは、チャネルを感知し、それがアイドル状態でない場合、それのバックオフカウンタが満了したときにランダムバックオフウィンドウを選び、送信する。カウンタは、スロットタイムごとに１だけ減分され、チャネルがその間同様にアイドル状態である、ＤＣＦフレーム間空間（ＤＩＦＳ）として知られる持続時間の後に、チャネルがアイドル状態であることが感知される。代替的に、図５に関して上記で説明したように、専用ピア発見リソースは、開始時にワイヤレスデバイスによって取得され得る。ワイヤレスデバイスは、最小量のエネルギーをもつピア発見リソースを選び得る。ワイヤレスデバイスは、ワイヤレスデバイスがそれのピア発見リソース上のはるかに高いエネルギーを検出するまで、同じピア発見リソース中で送信し続け得る。
【００２０】
[0030]ピア発見メッセージの発見距離は、ピア発見メッセージの送信と同時に送信するワイヤレスデバイスによって利用されるピア発見リソースの分布と、ピア発見メッセージを復号するために必要とされるＳＩＮＲとによって判断され得る。必要とされるＳＩＮＲは、ピア発見メッセージのコーディングに基づく固定量であるので、発見距離は、ピア発見リソースの分布によって大きく影響を受け得る。
【００２１】
[0031]いくつかのシステムでは、ピア発見リソースのセット上の送信機の数の分布は（たとえば、エネルギーベースのリソース選択アルゴリズムにより）ほぼ等しくなり得、したがって、所与のピア発見リソース中で動作している送信機のセットは、空間的に離れて拡散され得る。他のシステムでは、ピア発見リソース上の送信機の分布はあまり平衡し得ず、したがって、場合によっては、同時送信機は互いに極めて近接しており、復号可能な距離をそれらの状況において実際に小さくし得る。リソースの不平衡使用により、ただ１つの同時送信デバイスを有する可能性があることがある。ただ１つの同時送信デバイスを有することは、その送信機についての復号可能性が（干渉ではなく）熱雑音のみによって制限されるので、復号可能性の距離を改善し、したがって、発見距離ははるかに大きくなり得る。ただし、そのような性質は、いくつかの特定の構成および／または密度でのみ生じ得る。
【００２２】
[0032]以下で説明する例示的な方法は、ピア発見距離中の区別を行うために、ピア発見リソースの複数のセット上に送信機をほぼ等しく分散させる。例示的な方法によれば、ごく少数の送信機のためにいくつかのリソースが予約されるので、送信機がこれらの予約済みリソースにアクセスするときはいつでも、送信機は、より多数の受信機に達することができる。したがって、小さいエリア内に多くの送信機があるとき（すなわち、高密度シナリオ）でも、送信機は長距離送信へのアクセスを有することができる。
【００２３】
[0033]図５は、典型的なピア発見リソースの第１のセット５０２と長距離ピア発見リソースの第２のセット５０４とを利用するための例示的な方法を示すための図５００である。ピア発見リソースの第１のセット５０２は、ワイヤレスデバイスが連続的な方法でピア発見パケットを周期的に送り得る典型的なピア発見リソースである。ピア発見リソースの第１のセット５０２は、典型的なブロードキャスト／ピア発見送信のために予約された事前定義リソースである。ピア発見リソースの第２のセット５０４は、長距離ブロードキャスト／ピア発見送信のために予約された事前定義リソースである。ピア発見リソースの第２のセット５０４は、ピア発見パケットが、ピア発見リソースの第１のセット５０２中で送信されるときの発見距離よりも長い距離において発見されることを可能にする。
【００２４】
[0034]図５に示すように、Ｊ＝Ｍ＋Ｋとなるように、ピア発見リソースの第１のセット５０２中のＭ個のリソースと、ピア発見リソースの第２のセット５０４中のＫ個のリソースとをもつＪ個のピア発見リソースがある。例示的な方法によれば、ワイヤレスデバイスは、各サイクルについて、ピア発見リソースの第１のセット５０２内のＭ個のリソースのうちの１つのピア発見リソースを利用する。さらに、ワイヤレスデバイスは、Ｎ個のサイクルごとに１回ピア発見リソースの第２のセット５０４内のＫ個のリソースのうちの１つのピア発見リソースを利用する。事実上、ワイヤレスデバイスのセットは、ピア発見リソースの第１のセット５０２内のＭ個のリソース上で配信され、Ｎ個のサイクルの間ピア発見リソースの第２のセット５０２内のＫ＊Ｎ個のリソース上で配信される。
【００２５】
[0035]ワイヤレスデバイスは、エネルギーが熱雑音レベルよりもはるかに高い場合でも、他のピア発見リソースと比較してより小さいエネルギーをもつピア発見リソースの第１のセット５０２中の典型的なピア発見リソースを選択する。ワイヤレスデバイスが、最小エネルギーをもつピア発見リソースを選択するので、同じピア発見リソースを共有するワイヤレスデバイスは、事実上できるだけ互いから離れている。ただし、ピア発見リソースの第１のセット５０２を利用するワイヤレスデバイスの密度が増加するにつれて、同じピア発見リソースを同時に利用するワイヤレスデバイス間の距離は収縮する。
【００２６】
[0036]ワイヤレスデバイスが割り振られる長距離ピア発見リソースは、選択された典型的なピア発見リソースに基づいて事前定義され得る。代替的に、ワイヤレスデバイスはまた、ピア発見リソースの第２のセット５０４中の長距離ピア発見リソースを選択し得る。長距離ピア発見リソースを選択するときに、ワイヤレスデバイスは、熱雑音レベルに匹敵するエネルギーをもつピア発見リソースを選択し得る。ただし、ワイヤレスデバイスは、ピア発見リソース上のエネルギーが熱雑音よりも大きいとき、選択された長距離ピア発見リソース上で送信することを控え得る。
【００２７】
[0037]ある例が、例示的な方法を最も良く示している。互いの範囲内に２Ｍ個のワイヤレスデバイスがあると仮定する。２Ｍ個のワイヤレスデバイスは、Ｍ個の典型的なピア発見リソースを使用している。それらのピア発見距離は、ワイヤレスデバイスのいくつかが他のワイヤレスデバイスと同じピア発見リソースを使用しているので減少する。２Ｍ個のワイヤレスデバイスには、Ｋ＊Ｎ個の長距離ピア発見リソースのうちの１つが割り振られる。２Ｍ＜Ｋ＊Ｎの場合、各ワイヤレスデバイスは、それ自体の長距離ピア発見リソースを有することができる。したがって、Ｍ個の典型的なピア発見リソースが込み合っている場合、２Ｍ個のワイヤレスデバイスの各々は、Ｋ＊Ｎ個の長距離ピア発見リソース中の長距離において検出され得るピア発見信号を送信することが可能になる。
【００２８】
[0038]図６は、図４に示したピア発見リソースのコンテキスト内でピア発見リソースの第１のセット５０２とピア発見リソースの第２のセット５０４とを示すための図６００である。ピア発見リソースはＪ個のブロックを含み、それらのブロックのうちのＭ個はピア発見リソースの第１のセット５０２のために割り振られ得、それらのブロックのうちのＫ個はピア発見リソースの第２のセット５０４のために割り振られ得る。図６に示すように、Ｊ＝１６、Ｍ＝１２、Ｋ＝４であり、Ｋ個のブロックは４番目のブロックごとに位置する。ただし、Ｋ個のブロックは、Ｊ個のブロック内のどこかに割り振られ得る。
【００２９】
[0039]図７は、ワイヤレスデバイス１００によるピア発見リソースの第１のセット５０２とピア発見リソースの第２のセット５０４との使用を示す図７００である。この例では、ワイヤレスデバイス１００は、（本明細書では「フレーム」と呼ばれる）各スーパーフレームについて典型的なピア発見リソースが割り振られ、Ｎ＝２であるので、２つのフレームごとに長距離ピア発見リソースが割り振られる。図７に示すように、第１のフレームでは、ワイヤレスデバイス１００は、典型的なピア発見リソース７０２が割り振られ、そのピア発見リソース中で送信する。第２のフレームでは、ワイヤレスデバイス１００は、典型的なピア発見リソース７０４と長距離ピア発見リソース７０６とが割り振られ、両方のピア発見リソース中で送信する。第３のフレームでは、ワイヤレスデバイス１００は、典型的なピア発見リソース７０８と長距離ピア発見リソース７１０とが割り振られるが、長距離ピア発見リソース７１０中でのみ送信する。第３のフレームでは、ワイヤレスデバイス１００は、典型的なピア発見リソース７０８が、利用される長距離ピア発見リソース７１０と同じフレーム中であるので、典型的なピア発見リソース７０８中で送信することを控えることを判断した。第４のフレームでは、ワイヤレスデバイス１００は、典型的なピア発見リソース７１２が割り振られ、そのピア発見リソース中で送信する。
【００３０】
[0040]図８は、ワイヤレスデバイス１００によるピア発見リソースの第１のセット５０２とピア発見リソースの第２のセット５０４との使用を示す別の図８００である。この例では、ワイヤレスデバイス１００には、各フレームについて典型的なピア発見リソースが割り振られ、Ｎ＝２であるので、２つのフレームごとに長距離ピア発見リソースが割り振られる。図８に示すように、第１のフレームでは、ワイヤレスデバイス１００は、典型的なピア発見リソース８０２が割り振られ、そのピア発見リソース中で送信する。第２のフレームでは、ワイヤレスデバイス１００は、典型的なピア発見リソース８０４と長距離ピア発見リソース８０６とが割り振られ、典型的なピア発見リソース８０４中で送信する。ワイヤレスデバイス１００は、長距離ピア発見リソース８０６中で送信することを控え、長距離ピア発見リソース８０６上のエネルギーを判断する。判断されたエネルギーがしきい値よりも大きいと仮定する。第３のフレームでは、ワイヤレスデバイス１００は、典型的なピア発見リソース８０８と長距離ピア発見リソース８１０とが割り振られるが、典型的なピア発見リソース８０８中でのみ送信する。ワイヤレスデバイス１００が、長距離ピア発見リソース８０６上のエネルギーがしきい値よりも大きいと判断したので、ワイヤレスデバイス１００は、長距離ピア発見リソース８１０中で送信することを控える。第４のフレームでは、ワイヤレスデバイス１００は、典型的なピア発見リソース８１２が割り振られ、そのピア発見リソース中で送信する。
【００３１】
[0041]図９は、ワイヤレスデバイスが、ピア発見リソースの第２のセット５０４の割り振られたピア発見リソース上で送信すべきかどうかを判断するためのしきい値を、どのように調整し得るかを示すための図９００である。ワイヤレスデバイスは、第２のピア発見信号を正常に受信するために必要とされるＳＩＮＲに基づいて、ピア発見リソースの第２のセット５０４の割り振られたピア発見リソースを利用すべきかどうかを判断するためのしきい値を調整し得る。必要とされるＳＩＮＲが増加すると、ワイヤレスデバイスはしきい値を増加させ得、必要とされるＳＩＮＲが減少すると、ワイヤレスデバイスはしきい値を減少させ得る。ワイヤレスデバイスがしきい値を減少させたときは、ワイヤレスデバイスがピア発見リソースの第２のセット５０４中で送信する可能性は低く、ワイヤレスデバイスがしきい値を増加させたときは、ワイヤレスデバイスがピア発見リソースの第２のセット５０４中で送信する可能性は高い。たとえば、同じＰＤＲＩＤを再利用しようと試みている２つのワイヤレスデバイスＡおよびＢについて考える。両方は同じ電力で送信する。ＡとＢとの間の、Ａから距離ｄにある受信機Ｘについて考える。復号可能性しきい値がγである場合、ｄ（γ）を、Ａが発見され得る最大距離を表すものとする。γがより大きくなると、ｄ（γ）はより小さくなる。Ｂによる同じＰＤＲＩＤの再利用は、Ａの最良の場合の発見可能性（discoverability）に影響を及ぼすことなしに可能である。すなわち、ＢがＰＤＲＩＤを再利用することになっていた場合でも、ｄ（γ）を超えるワイヤレスデバイスはＡを聴取することができない。γが増加し、したがってｄ（γ）が減少した場合、ＡおよびＢは、互いにより近接し、依然として同じリソースを使用することができる（すなわち、Ｂは、それが観測するエネルギーが高い場合でもリソースを再利用することができる）。
【００３２】
[0042]図１０は、例示的な方法のフローチャート１０００である。本方法はワイヤレスデバイスによって実行され得る。図１０に示すように、ワイヤレスデバイスは、ピア発見リソースの第１のセット中で第１の周期性／時間頻度（temporal frequency）で第１のピア発見信号を送信する（１００２）。ワイヤレスデバイスは、ピア発見リソースの第２のセットの割り振られたピア発見リソース上のエネルギーを判断する（１００４）。ワイヤレスデバイスは、エネルギーがしきい値よりも大きいとき、ピア発見リソースの第２のセット中で第２のピア発見信号を送信することを控える（１００６）。ワイヤレスデバイスは、エネルギーがしきい値よりも小さいとき、第１の周期性／時間頻度よりも小さい第２の周期性／時間頻度でピア発見リソースの第２のセット中で第２のピア発見信号を送信する（１００８）。
【００３３】
[0043]たとえば、再び図８を参照すると、ワイヤレスデバイスは、ピア発見リソースの第１のセット５０２中でフレームごとに１回の第１の時間頻度（時間頻度＝１）で典型的なピア発見リソース８０２、８０４、８０８、８１２中でピア発見信号を送信する。ワイヤレスデバイスは、ピア発見リソースの第２のセット５０４の割り振られたピア発見リソース８０６上のエネルギーを判断する。判断されたエネルギーがしきい値（たとえば、熱雑音レベル）よりも大きいとき、ワイヤレスデバイスは、ピア発見リソース８１０上で送信することを控える。判断されたエネルギーがしきい値よりも小さいとき、ワイヤレスデバイスはピア発見リソース８１０上で送信する。ワイヤレスデバイスは、２つのフレームごとに１回の第２の時間頻度（時間頻度＝１／２）でピア発見リソースの第２のセット５０４上で送信する。たとえば、ワイヤレスデバイスが、割り振られたピア発見リソース８０６上でリッスンしていなかった場合、ワイヤレスデバイスは、２つのフレームごとに１回、ピア発見リソース８０６とピア発見リソース８１０の両方の上で送信していただろう。第２の時間頻度１／２は第１の時間頻度１よりも小さい。
【００３４】
[0044]ピア発見リソースの第２のセットは、Ｎ個の周期ごとに１回利用され得る。値Ｎは１よりも大きくなり得る。Ｎ個の周期ごとに１回は第２の周期性／時間頻度である。Ｎを乗算された、ピア発見リソースの第２のセット中のピア発見リソースの数は、ピア発見リソースの第１のセット中のピア発見リソースの数以上であり得る。たとえば、図８では、Ｍ＝１２およびＫ＝４である。ワイヤレスデバイスが４つのフレーム（Ｎ＝４）ごとに１回ピア発見リソースの第２のセット５０４を利用する場合、Ｋ＊Ｎ（１６）≧Ｍ（１２）である。
【００３５】
[0045]ワイヤレスデバイスは、第２のピア発見信号が送信される周期中に、ピア発見リソースの第１のセットのサブセット中で第１のピア発見信号を送信することを控え得る（１０１０）。たとえば、再び図７を参照すると、ワイヤレスデバイスは、ピア発見リソース７０８として同じフレーム中にあるピア発見リソース７１０を利用するので、ワイヤレスデバイスは、ピア発見リソース７０８中でそれのピア発見信号を送信することを控える。
【００３６】
[0046]図１１は、例示的な装置１００’の機能を示す概念ブロック図１１００である。本装置は、ピア発見リソースの第１のセット５０２中で第１の周期性／時間頻度で第１のピア発見信号を送信するように構成されたピア発見送信モジュール１００６を含む。本装置は、ピア発見信号を受信するように構成されたピア発見受信モジュール１００２をさらに含む。ピア発見受信モジュール１００２は、ピア発見リソースの第２のセット５０４の割り振られたピア発見リソース上のエネルギーを判断するように構成されたエネルギー判断モジュール１００４と通信する。ピア発見送信モジュール１００６は、エネルギーがしきい値よりも大きいとき、ピア発見リソースの第２のセット５０４中で第２のピア発見信号を送信することを控えるように構成される。さらに、ピア発見送信モジュール１００６は、エネルギーがしきい値よりも小さいとき、第１の周期性／時間頻度よりも小さい第２の周期性／時間頻度でピア発見リソースの第２のセット５０４中で第２のピア発見信号を送信するように構成される。
【００３７】
[0047]ピア発見リソースの第２のセットは、Ｎ個の周期ごとに１回利用され得、Ｎ個の周期ごとに１回は、第２の周期性／時間頻度である。Ｎを乗算された、ピア発見リソースの第２のセット中のピア発見リソースの数は、ピア発見リソースの第１のセット中のピア発見リソースの数以上であり得る。しきい値は、第２のピア発見信号を正常に受信するために必要とされるＳＩＮＲに基づき得る。そのような構成では、本装置は、必要とされるＳＩＮＲが増加するときはしきい値を増加させ、必要とされるＳＩＮＲが減少するときはしきい値を減少させるように構成されたしきい値調整モジュール１００８をさらに含み得る。しきい値調整モジュール１００８は、しきい値情報をピア発見送信モジュール１００６に搬送する。ピア発見送信モジュール１００６は、第２のピア発見信号が送信される周期中に、ピア発見リソースの第１のセット５０２のサブセット中で第１のピア発見信号を送信することを控えるようにさらに構成され得る。
【００３８】
[0048]本装置は、図９の上述のフローチャート中のアルゴリズムのステップの各々を実行する追加のモジュールを含み得る。したがって、図９の上述のフローチャート中の各ステップは１つのモジュールによって実行され得、本装置は、それらのモジュールのうちの１つまたは複数を含み得る。モジュールは、処理システム１１４、あるいはさもなければ、モジュールの各々に関連する機能を実行するように構成された同じまたは異なるプログラマブルまたは専用ハードウェアであり得る。
【００３９】
[0049]図１および図１１を参照すると、一構成では、ワイヤレス通信のための装置１００／１００’は、ピア発見リソースの第１のセット中で第１の周期性で第１のピア発見信号を送信するための手段を含む。本装置は、ピア発見リソースの第２のセットの割り振られたピア発見リソース上のエネルギーを判断するための手段をさらに含む。本装置は、エネルギーがしきい値よりも大きいとき、ピア発見リソースの第２のセット中で第２のピア発見信号を送信することを控えるための手段をさらに含む。本装置は、エネルギーがしきい値よりも小さいとき、第１の周期性よりも小さい第２の周期性でピア発見リソースの第２のセット中で第２のピア発見信号を送信するための手段をさらに含む。しきい値は、第２のピア発見信号を正常に受信するために必要とされるＳＩＮＲに基づき得る。そのような構成では、本装置は、必要とされるＳＩＮＲが増加するときにしきい値を増加させるための手段と、必要とされるＳＩＮＲが減少するときにしきい値を減少させるための手段とをさらに含み得る。本装置は、第２のピア発見信号が送信される周期中に、ピア発見リソースの第１のセットのサブセット中で第１のピア発見信号を送信することを控えるための手段をさらに含み得る。手段は、上述の手段によって記載された機能を実行するように構成された処理システム１１４および／または装置１００’のモジュールのうちの１つまたは複数であり得る。
【００４０】
[0050]開示したプロセスにおけるステップの特定の順序または階層は、例示的な手法の一例であることを理解されたい。設計上の選好に基づいて、プロセス中のステップの特定の順序または階層は再構成され得ることを理解されたい。添付の方法クレームは、様々なステップの要素を例示的な順序で提示したものであり、提示された特定の順序または階層に限定されるものではない。
【００４１】
[0051]以上の説明は、本明細書で説明された様々な態様を、当業者が実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
ピア発見リソースの第１のセット中で第１の周期性で第１のピア発見信号を送信することと、
ピア発見リソースの第２のセットの割り振られたピア発見リソース上のエネルギーを判断することと、
前記エネルギーがしきい値よりも大きいとき、ピア発見リソースの前記第２のセット中で第２のピア発見信号を送信することを控えることと、
前記エネルギーが前記しきい値よりも小さいとき、前記第１の周期性よりも小さい第２の周期性でピア発見リソースの前記第２のセット中で前記第２のピア発見信号を送信することと
を備える、ワイヤレス通信の方法。
［Ｃ２］
ピア発見リソースの前記第２のセットがＮ個の周期ごとに１回利用され、前記Ｎ個の周期ごとに１回が前記第２の周期性である、Ｃ１に記載の方法。
［Ｃ３］
Ｎを乗算された、ピア発見リソースの前記第２のセット中のピア発見リソースの数が、ピア発見リソースの前記第１のセット中のピア発見リソースの数以上である、Ｃ２に記載の方法。
［Ｃ４］
前記しきい値が、前記第２のピア発見信号を正常に受信するために必要とされる信号対干渉雑音比（ＳＩＮＲ）に基づく、Ｃ１に記載の方法。
［Ｃ５］
前記必要とされるＳＩＮＲが増加するときに前記しきい値を増加させることと、
前記必要とされるＳＩＮＲが減少するときに前記しきい値を減少させることと
をさらに備える、Ｃ４に記載の方法。
［Ｃ６］
前記第２のピア発見信号が送信される周期中に、ピア発見リソースの前記第１のセットのサブセット中で前記第１のピア発見信号を送信することを控えることをさらに備える、Ｃ１に記載の方法。
［Ｃ７］
ピア発見リソースの第１のセット中で第１の周期性で第１のピア発見信号を送信するための手段と、
ピア発見リソースの第２のセットの割り振られたピア発見リソース上のエネルギーを判断するための手段と、
前記エネルギーがしきい値よりも大きいとき、ピア発見リソースの前記第２のセット中で第２のピア発見信号を送信することを控えるための手段と、
前記エネルギーが前記しきい値よりも小さいとき、前記第１の周期性よりも小さい第２の周期性でピア発見リソースの前記第２のセット中で前記第２のピア発見信号を送信するための手段と
を備える、ワイヤレス通信のための装置。
［Ｃ８］
ピア発見リソースの前記第２のセットがＮ個の周期ごとに１回利用され、前記Ｎ個の周期ごとに１回が前記第２の周期性である、Ｃ７に記載の装置。
［Ｃ９］
Ｎを乗算された、ピア発見リソースの前記第２のセット中のピア発見リソースの数が、ピア発見リソースの前記第１のセット中のピア発見リソースの数以上である、Ｃ８に記載の装置。
［Ｃ１０］
前記しきい値が、前記第２のピア発見信号を正常に受信するために必要とされる信号対干渉雑音比（ＳＩＮＲ）に基づく、Ｃ７に記載の装置。
［Ｃ１１］
前記必要とされるＳＩＮＲが増加するときに前記しきい値を増加させるための手段と、
前記必要とされるＳＩＮＲが減少するときに前記しきい値を減少させるための手段と
をさらに備える、Ｃ１０に記載の装置。
［Ｃ１２］
前記第２のピア発見信号が送信される周期中に、ピア発見リソースの前記第１のセットのサブセット中で前記第１のピア発見信号を送信することを控えるための手段をさらに備える、Ｃ７に記載の装置。
［Ｃ１３］
ピア発見リソースの第１のセット中で第１の周期性で第１のピア発見信号を送信することと、
ピア発見リソースの第２のセットの割り振られたピア発見リソース上のエネルギーを判断することと、
前記エネルギーがしきい値よりも大きいとき、ピア発見リソースの前記第２のセット中で第２のピア発見信号を送信することを控えることと、
前記エネルギーが前記しきい値よりも小さいとき、前記第１の周期性よりも小さい第２の周期性でピア発見リソースの前記第２のセット中で前記第２のピア発見信号を送信することと
を行うように構成された処理システム
を備える、ワイヤレス通信のための装置。
［Ｃ１４］
ピア発見リソースの前記第２のセットがＮ個の周期ごとに１回利用され、前記Ｎ個の周期ごとに１回が前記第２の周期性である、Ｃ１３に記載の装置。
［Ｃ１５］
Ｎを乗算された、ピア発見リソースの前記第２のセット中のピア発見リソースの数が、ピア発見リソースの前記第１のセット中のピア発見リソースの数以上である、Ｃ１４に記載の装置。
［Ｃ１６］
前記しきい値が、前記第２のピア発見信号を正常に受信するために必要とされる信号対干渉雑音比（ＳＩＮＲ）に基づく、Ｃ１３に記載の装置。
［Ｃ１７］
前記処理システムは、前記必要とされるＳＩＮＲが増加するときに前記しきい値を増加させることと、
前記必要とされるＳＩＮＲが減少するときに前記しきい値を減少させることと
を行うようにさらに構成された、Ｃ１６に記載の装置。
［Ｃ１８］
前記処理システムは、前記第２のピア発見信号が送信される周期中に、ピア発見リソースの前記第１のセットのサブセット中で前記第１のピア発見信号を送信することを控えるようにさらに構成された、Ｃ１３に記載の装置。
［Ｃ１９］
ピア発見リソースの第１のセット中で第１の周期性で第１のピア発見信号を送信することと、
ピア発見リソースの第２のセットの割り振られたピア発見リソース上のエネルギーを判断することと、
前記エネルギーがしきい値よりも大きいとき、ピア発見リソースの前記第２のセット中で第２のピア発見信号を送信することを控えることと、
前記エネルギーが前記しきい値よりも小さいとき、前記第１の周期性よりも小さい第２の周期性でピア発見リソースの前記第２のセット中で前記第２のピア発見信号を送信することと
を行うためのコードを備えるコンピュータ可読媒体
を備える、コンピュータプログラム製品。
［Ｃ２０］
ピア発見リソースの前記第２のセットがＮ個の周期ごとに１回利用され、前記Ｎ個の周期ごとに１回が前記第２の周期性である、Ｃ１９に記載のコンピュータプログラム製品。
［Ｃ２１］
Ｎを乗算された、ピア発見リソースの前記第２のセット中のピア発見リソースの数が、ピア発見リソースの前記第１のセット中のピア発見リソースの数以上である、Ｃ２０に記載のコンピュータプログラム製品。
［Ｃ２２］
前記しきい値が、前記第２のピア発見信号を正常に受信するために必要とされる信号対干渉雑音比（ＳＩＮＲ）に基づく、Ｃ１９に記載のコンピュータプログラム製品。
［Ｃ２３］
前記コンピュータ可読媒体は、
前記必要とされるＳＩＮＲが増加するときに前記しきい値を増加させることと、
前記必要とされるＳＩＮＲが減少するときに前記しきい値を減少させることと
を行うためのコードをさらに備える、Ｃ２２に記載のコンピュータプログラム製品。
［Ｃ２４］
前記コンピュータ可読媒体は、前記第２のピア発見信号が送信される周期中に、ピア発見リソースの前記第１のセットのサブセット中で前記第１のピア発見信号を送信することを控えるためのコードをさらに備える、Ｃ１９に記載のコンピュータプログラム製品。
【図１】
0005763272.tif 000002
【図２】
0005763272.tif 000003
【図３】
0005763272.tif 000004
【図４】
0005763272.tif 000005
【図５】
0005763272.tif 000006
【図９】
0005763272.tif 000007
【図１０】
0005763272.tif 000008
【図１１】
0005763272.tif 000009
【図６】
0005763272.tif 000010
【図７】
0005763272.tif 000011
【図８】
0005763272.tif 000012